(57)【要約】【課題】  通信機器開発製品の動作確認作業を効率化できる電話回線信号レベル測定変換装置を提供する。【解決手段】  回線入力部５は受信した信号から検出したリンガ信号を契機に受信信号を本装置に取り込む。操作部３は回線入力部から受けとった受信信号のレベルを計測するための計測時間間隔，受信信号を減衰させる少なくとも１つの減衰量ならびに計測された受信信号のレベルおよび減衰された信号の出力先とを含む動作指示を設定する。レベル測定部６は回線入力部から受けとった受信信号のレベルを計測時間間隔で計測する。レベル変換部７は回線入力部から受けとった受信信号を減衰量にしたがって減衰させた信号にレベル変換する。制御部１０は本装置を制御するとともに計測された受信信号のレベルおよびレベル変換された信号を記憶する。モニタ信号出力部８，回線出力部９はレベル変換された信号を出力先に出力する。【選択図】        図１
2005311503.tif 000002
【特許請求の範囲】
【請求項１】
アナログ電話回線に接続するファクシミリ等開発製品の通信評価を行うための電話回線信号レベル測定変換装置において、
受信した信号から検出したリンガ信号を契機に受信信号を本装置に取り込む回線入力部と、
回線入力部から受けとった受信信号のレベルを計測するための計測時間間隔および計測された受信信号のレベルの出力先を含む動作指示を設定する操作部と、
前記回線入力部から受けとった受信信号のレベルを前記計測時間間隔で計測するレベル測定部と、
本装置を制御するとともに前記計測された受信信号のレベルを記憶する制御部と、
制御部が記憶する計測された信号のレベルを前記出力先に出力する信号出力部とを備えたことを特徴とする電話回線信号レベル測定変換装置。
【請求項２】
外部の周辺機器とのインタフェースを実行する周辺機器接続部と、
周辺機器接続部を制御する周辺機器制御部とを設け、
前記周辺機器から周辺機器接続部を経由して受信した前記計測時間間隔および前記出力先を含む動作指示を周辺機器制御部が前記操作部に設定し、
周辺機器制御部は前記制御部が記憶する前記計測された信号のレベルを周辺機器接続部から前記周辺機器に送信することを特徴とする請求項１記載の電話回線信号レベル測定変換装置。
【請求項３】
アナログ電話回線に接続するファクシミリ等開発製品の通信評価を行うための電話回線信号レベル測定変換装置において、
受信した信号から検出したリンガ信号を契機に受信信号を本装置に取り込む回線入力部と、
回線入力部から受けとった受信信号のレベルを計測するための計測時間間隔，受信信号を減衰させる少なくとも１つの減衰量ならびに計測された受信信号のレベルおよび減衰された信号の出力先とを含む動作指示を設定する操作部と、
前記回線入力部から受けとった受信信号のレベルを前記計測時間間隔で計測するレベル測定部と、
前記回線入力部から受けとった受信信号を前記減衰量にしたがって減衰させた信号にレベル変換するレベル変換部と、
本装置を制御するとともに前記計測された受信信号のレベルおよび前記レベル変換された信号を記憶する制御部と、
制御部が記憶する前記計測された信号のレベルおよび前記レベル変換された信号を前記出力先に出力する信号出力部とを備えたことを特徴とする電話回線信号レベル測定変換装置。
【請求項４】
外部の周辺機器とのインタフェースを実行する周辺機器接続部と、
周辺機器接続部を制御する周辺機器制御部とを設け、
前記周辺機器から前記周辺機器接続部を経由して受信した前記計測時間間隔，前記減衰量および前記出力先とを含む動作指示を前記周辺機器制御部が前記操作部に設定し、
周辺機器制御部は前記制御部が記憶する前記計測された信号のレベルおよび前記レベル変換された信号を前記周辺機器接続部から前記周辺機器に送信することを特徴とする請求項３記載の電話回線信号レベル測定変換装置。
【発明の詳細な説明】
【技術分野】
【０００１】
本発明は電話回線信号レベル測定変換装置、特にアナログ電話回線に接続するファクシミリ等の通信評価を行うための電話回線信号レベル測定変換装置に関する。
【背景技術】
【０００２】
アナログ電話回線に接続するファクシミリ、またはアナログ電話回線に接続する信号線を切り替えるアダプタなどの製品を開発ならびに評価を行う場合、従来は、市販の測定器を使用して実際の使用環境を擬似的に実現している。
【０００３】
また、実回線やユーザー運用環境において評価を実施する際、試験作業者は、開発した製品と測定器を測定環境下に持ち込んで送受信する信号レベルの測定を行うが、この時、送信側と受信側とに配備分担して少なくとも２名以上で作業を行う場合が多い。
【０００４】
さらに、製品間に介入する交換機や回線線路が有する信号減衰量、したがって製品に到達する信号レベルは、交換機のメーカーや機種毎および線路長の相違や差によって異なることが多く、測定器では製品自体の入出力信号範囲を規定ならびに保証するのは難しい。したがって、入力信号を内部処理する調整と出力信号を調整する各機能を製品自体に有することが必須となっている。このような調整は、実環境で実際の通信手順を動作させて信号レベルを測定するとともに、記録された画質や信号音のモニタ結果で良否を判断している。
【０００５】
なお、関連する技術として、電話回線を通じて接続された送信装置と受信装置間で試験信号を直接相手方に送信して、測定を自動的に行って、その測定結果を双方で表示して把握し送信信号の出力レベルを調整することができるようにした非常通報装置が知られている（例えば、特許文献１参照）。この非常通報装置は、火災，侵入等の異常事態を電話回線を使用して通報するものである。
【０００６】
【特許文献１】特開昭６２−１９７８９９（第２頁ー第３頁、図１）
【発明の開示】
【発明が解決しようとする課題】
【０００７】
しかしながら、上述の特許文献１記載の技術は、電話回線による信号の減衰量が季節，天候等の環境によって変化することから、信号レベルの調整を簡易かつ適切に行うことにより、非常通報装置の信頼性を高めることを目的としたものであって、信号レベルを変えてそれに対する開発製品の評価を行うというものではない。
【０００８】
また、前述の従来技術では、新たな製品開発ならびにその評価を行う場合、ファクシミリ通信手順や送受信する信号レベルの測定は市販の測定器類を使用して実施しているため、その測定器仕様に依存または制約された測定方法や計測値を得るという場面が発生し、製品の機能に密着した信号レベルの測定結果の取得が欠落する場合があるという第１の問題点がある。
【０００９】
また、実回線やユーザー運用環境において開発した製品を評価する際、開発した製品と測定器を測定環境下に持ち込んでファクシミリ通信手順や送受信する信号レベルの測定を行うが、製品を配置する個所によって、製品への入力信号条件や製品が出力する信号条件が異なり、一律なレベル測定が困難な場合があり、製品が配置される個所すべてにおいてレベル測定を実施せざるを得ない場面が発生するという第２の問題点がある。
【００１０】
更に、製品間の通信における通信性確認やレベル信号の測定を行う際には、送信側と受信側という通信手順の方向性を鑑みた動作確認を行うために、製品を配備する数に等しい作業者を配置して信号測定を実施する場面が発生するという第３の問題点がある。
【００１１】
そこで、本発明の目的は、通信機器開発製品の動作確認作業を効率化できる電話回線信号レベル測定変換装置を提供することにある。
【課題を解決するための手段】
【００１２】
請求項１記載の発明は、アナログ電話回線に接続するファクシミリ等開発製品の通信評価を行うための電話回線信号レベル測定変換装置において、受信した信号から検出したリンガ信号を契機に受信信号を本装置に取り込む回線入力部（図１の５）と、回線入力部から受けとった受信信号のレベルを計測するための計測時間間隔および計測された受信信号のレベルの出力先を含む動作指示を設定する操作部（図１の３）と、回線入力部から受けとった受信信号のレベルを計測時間間隔で計測するレベル測定部（図１の６）と、本装置を制御するとともに計測された受信信号のレベルを記憶する制御部（図１の１０）と、制御部が記憶する計測された信号のレベルを出力先に出力する信号出力部（図１の８，９）とを備えたことを特徴とする。
【００１３】
請求項２記載の発明は、請求項１記載の発明において、外部の周辺機器とのインタフェースを実行する周辺機器接続部（図１の２）と、周辺機器接続部を制御する周辺機器制御部（図１の１）とを設け、周辺機器から周辺機器接続部を経由して受信した計測時間間隔および出力先を含む動作指示を周辺機器制御部が操作部（図１の３）に設定し、周辺機器制御部は制御部が記憶する計測された信号のレベルを周辺機器接続部から周辺機器に送信することを特徴とする。
【００１４】
請求項３記載の発明は、アナログ電話回線に接続するファクシミリ等開発製品の通信評価を行うための電話回線信号レベル測定変換装置において、受信した信号から検出したリンガ信号を契機に受信信号を本装置に取り込む回線入力部（図１の５）と、回線入力部から受けとった受信信号のレベルを計測するための計測時間間隔，受信信号を減衰させる少なくとも１つの減衰量ならびに計測された受信信号のレベルおよび減衰された信号の出力先とを含む動作指示を設定する操作部（図１の３）と、回線入力部から受けとった受信信号のレベルを計測時間間隔で計測するレベル測定部（図１の６）と、回線入力部から受けとった受信信号を減衰量にしたがって減衰させた信号にレベル変換するレベル変換部（図１の７）と、本装置を制御するとともに計測された受信信号のレベルおよびレベル変換された信号を記憶する制御部（図１の１０）と、制御部が記憶する計測された信号のレベルおよびレベル変換された信号を出力先に出力する信号出力部（図１の８，９）とを備えたことを特徴とする。
【００１５】
請求項４記載の発明は、請求項３記載の発明において、外部の周辺機器とのインタフェースを実行する周辺機器接続部（図１の２）と、周辺機器接続部を制御する周辺機器制御部（図１の１）とを設け、周辺機器から周辺機器接続部を経由して受信した計測時間間隔，減衰量および出力先とを含む動作指示を周辺機器制御部が操作部（図１の３）に設定し、周辺機器制御部は制御部が記憶する計測された信号のレベルおよびレベル変換された信号を周辺機器接続部から周辺機器に送信することを特徴とする。
【発明の効果】
【００１６】
本発明の電話回線信号レベル測定変換装置によると、アナログ電話回線に接続するファクシミリや、アダプタなどの製品の開発において、ファクシミリ通信手順や送受信する信号レベルの測定、信号減衰量を変動した開発製品の通信評価が可能となり、開発製品が配備される動作環境を事前に把握することが可能となり、製品の評価期間の短縮が図れる。
【００１７】
また、周辺機器接続部と周辺機器制御部を設けることによって、周辺機器との接続インタフェースと通信可能となり、遠隔地からの操作にて複数の開発装置の通信評価が可能となる。
【発明を実施するための最良の形態】
【００１８】
本発明の電話回線信号レベル測定変換装置は、アナログ電話回線に接続するファクシミリ等の通信評価を行う装置であって、ファクシミリ等と交換機の信号レベルを測定するとともに、信号を各種レベルに減衰するレベル変換を行う構成を備えることで、実環境を擬似的に再現することができ、ファクシミリ等の通信評価を効率化するものである。
【００１９】
具体的には次のような特徴的な構成を採用している。
【００２０】
（１）アナログ電話回線に接続して電話の音声信号とリンガ等に代表される各種制御信号とファクシミリ通信手順の各信号を入力する回線入力部，各種制御信号とファクシミリ通信手順の各信号を出力する回線出力部およびデータの一時的な記憶をするとともに本装置全体をコントロールする制御部を有する。
【００２１】
（２）外部周辺機器との間で信号レベル測定条件や測定値に代表される各種情報のやり取りを行う周辺機器接続部、および本周辺機器接続部を直接コントロールする周辺機器制御部を有する。
【００２２】
（３）操作パネルを実装し、外部周辺機器からの各種情報による測定の他に、本装置単独にて信号レベル測定条件を設定する手段を有し、さらには表示部をコントロールすることによって、測定結果のデータ，信号レベルの変換データ，モニタ信号出力部のポート表示，装置全体の動作状況等々を操作者へ表示する手段を有する。
【００２３】
（４）回線入力部が入力した信号のレベルを測定し、表示部への表示指示を実行するレベル測定部を有し、さらに制御部からの指定に応じた計測タイミングにて周期的な測定と、その計測値を制御部へ通知する手段を有する。
【００２４】
（５）回線入力部が入力した信号を、制御部からの指定に対応する複数の減衰量にしたがってレベル変換し、表示部へ変換前と変換後の各表示指示を実行し、変換前の信号、すなわち回線入力部から受信した源信号と変換後の信号とをモニタ信号出力部へ出力する手段を有する。
【００２５】
（６）レベル変換部が変換した複数の信号を、制御部からの指定に対応する出力ポートへ割り付けるとともに、回線出力部に出力するモニタ信号出力部を有する。
【００２６】
（７）本装置がレベル変換した信号を、複数のモニタ用信号として装置外部へ出力する手段と、その出力単位で、手順制御が行える手段を有する。
【００２７】
信号レベルの測定は、リンガ信号を開始トリガとして、接続した回線の出力レベル（または製品の入力レベル）や製品が出力する信号レベル（または回線への出力レベル）を時間単位で測定、記録保存して、回線断を終了トリガとして検出、終了する。開始トリガと終了トリガは、本装置の操作をトリガとしてもよい。
【００２８】
また、信号レベルの変更は、本装置が受信した信号のレベルと回線に出力するレベルの信号を、同本装置の操作部からの指定に合わせた各レベルに変更して、本装置外部に出力する。本出力信号は、モニタを目的とした複数の出力と、回線または外部装置への出力を同時に行う。
【実施例１】
【００２９】
図１は、本発明による電話回線信号レベル測定変換装置の実施例１のシステム構成図である。この電話回線信号レベル測定変換装置は、制御部１０，周辺機器制御部１，周辺機器接続部２，操作部３，表示部４，回線入力部５，レベル測定部６，レベル変換部７，モニタ信号出力部８および回線出力部９により構成される。
【００３０】
制御部１０は、本装置全体を制御する構成部であり、操作部３における指定に基づいて、各構成部１〜９への指示，状態監視を行い本装置の動作および機能を実現する。内部には制御用データをはじめ動作パラメータ，記憶データ，時計データ等を記憶するメモリを有する。
【００３１】
周辺機器接続部２は、接続される周辺機器（図示省略）とのシリアル，ＳＣＳＩ，ＬＡＮ，ファクシミリ，ＵＳＢ，無線等のインタフェースを行う構成部であり、周辺機器からの指示を受け付け、また本装置が保持している測定結果を周辺機器へ出力する。周辺機器制御部１は、周辺機器接続部２を制御する。周辺機器制御部１および周辺機器接続部２は、遠隔地から本装置を起動し、本装置による動作結果を得るための手段である。
【００３２】
操作部３は、本装置の電源，機能選択や動作指示および周辺機器インタフェースの選択を評価者が指定し、また周辺機器制御部１によって指定される構成部である。動作指示は、回線入力部５から受けとった信号を減衰させる少なくとも１つの値と、回線入力部５から受けとった信号の信号レベルをレベル測定部６が計測するための計測時間間隔とを含む。減衰させる値が複数選択された場合は、モニタ信号出力部８における複数の外部出力ポートにレベルの異なる複数の信号が出力されることになる。操作部３における指定は制御部１０に伝えられる。
【００３３】
表示部４は、電源状況，機能選択や動作状況および周辺機器インタフェースの選択状況をはじめ、レベル測定部６から受けとる測定データ，レベル変換部７から受けとる調整データと、モニタ信号出力部８や回線出力部９の信号選択状況を表示する。信号選択状況とは、どの外部出力ポートは何ｄＢｍに変換された信号を出力しているかということ、及びどの外部出力ポートに出力している信号が選択されて回線出力部９に出力しているかをいう。
【００３４】
回線入力部５は、回線信号を本装置に取り込む構成部であり、受信した信号をレベル測定部６とレベル変換部７に送る機能とリンガを検出する機能を有する。
【００３５】
レベル測定部６は、回線入力部５から受けとる信号のレベルを制御部１０から指定された時間単位（計測時間間隔）で計測する機能をもち、計測結果（測定データ）を逐一、制御部１０と表示部４に送る機能を有する。
【００３６】
レベル変換部７は、回線入力部５から受けとった信号（減衰量の変換なし）に対して、制御部１０から受けた指示にしたがって減衰させた少なくとも１つの信号にレベル変換する機能をもち、各変換結果（調整データ）を逐一、制御部１０と表示部４およびモニタ信号出力部８に送る機能を有する。
【００３７】
モニタ信号出力部８は、レベル変換部７から受けとった信号（減衰量の変換なし、あり）を、制御部１０から指定された外部出力ポートに合わせて出力するとともに、回線に出力する信号を回線出力部９に送る機能を有する。
【００３８】
回線出力部９は、モニタ信号出力部８から受けとった信号を回線に出力する機能を有する。
【００３９】
次に、以上のように構成された本電話回線信号レベル測定変換装置の動作について説明する。
【００４０】
電源投入後の制御プロセス起動によって制御部１０が起動される。本起動をもって、初期化と各部１〜９を起動した後はトリガ監視に移る。本状態で回線入力，周辺制御，操作，レベル測定，レベル変換，モニタ信号，回線出力，電源断のトリガが発生すると、各トリガに対応したイベント処理が実行されて、制御部１０から対応する各部１〜９への動作指示と情報通知をしながら処理を実行する。
【００４１】
操作部３によって電源が投入されることの他に格別の動作の指示がされていない場合、リンガ検出に応答して回線入力部５が取り込んだ回線信号は、レベル変換部７とモニタ信号出力部８を経由して、そのまま回線に出力される。これは、本電話回線信号レベル測定調整装置が単に回線信号の通路として機能しているだけの運用形態である。
【００４２】
評価者は、操作部３から動作指示を行うことによって、本電話回線信号レベル測定調整装置を開発装置の評価(図２)や、被試験装置の試験（図３）用の装置として機能させることができる。この場合、評価者は、操作部３を使用して、回線入力部５から受けとった信号を減衰させる値と計測時間間隔を入力した後、実行開始を指示する。減衰させる値および計測時間間隔と、実行開始の指示は制御部１０に伝えられる。制御部１０は、各部１〜９を初期化して起動し制御する。
【００４３】
回線入力部５は、リンガ信号検出に応答して回線信号を本装置に取り込みレベル測定部６とレベル変換部７に送る。レベル測定部６は、回線入力部５から受けとった信号の信号レベルを計測時間間隔で計測して、計測結果（測定データ）を逐一、制御部１０と表示部４に送る。表示部４は測定データを表示する。制御部１０に送られた測定データはメモリに記憶され、後に説明するように、本装置に接続されている他の装置へ周辺機器制御部１および周辺機器接続部２から送信される。
【００４４】
回線入力部５からレベル変換部７に送られた回線信号は、制御部１０からの指定にしたがって、各指定された減衰量に見合った減衰調整が施され、１つまたは複数のレベルに変換される。レベル変換された信号はモニタ信号出力部８に送られる。
【００４５】
モニタ信号出力部８は、制御部１０からの指示によって、レベル変換後の信号を外部出力ポートに割り振るとともに、どの減衰後（または減衰なし）の信号を回線出力部９へ送るべきかをセレクトする。制御部１０からの指示は、操作部３から指定された設定に基づく。
【００４６】
外部出力ポートに割り振られた信号は、外部モニタ（図示省略）においてモニタされる。また、回線出力部９はモニタ信号出力部８から受けとった信号を回線へ出力する。
【００４７】
以上の処理は、周辺機器接続部２に接続されているパソコンやファクシミリ、またはインターネット端末に代表されるネットワーク端末等から実行させることができる。
【００４８】
ネットワーク端末等を操作する評価者は、操作部３を操作する操作者と同様に上述の操作を行えばよい。得られた結果のデータは制御部１０のメモリに記憶され、周辺機器制御部１および周辺機器接続部２からネットワーク端末等へ送信される。これにより、遠隔地からも開発装置の評価や被試験装置の試験に必要なデータを得ることができる。
【００４９】
図２は、本発明による電話回線信号レベル測定変換装置１００を使用する一例を示す図である。本電話回線信号レベル測定変換装置１００を開発装置２００と交換機３００との間に接続して、開発装置２００の出力レベルと回線レベルを測定する。ここでは、開発装置２００は回線入力部５、交換機３００は回線出力部９に接続される。
【００５０】
また、本電話回線信号レベル測定変換装置１００を交換機３００と３つの開発装置４００との間に接続して、モニタ信号出力部８から出力するレベル変換後の信号を開発装置４００に供給して開発装置４００の入力信号レベル毎の動作確認を行う。ここでは、交換機３００は回線入力部５、開発装置４００はモニタ信号出力部８に接続される。
【００５１】
図３は、本発明による電話回線信号レベル測定変換装置１００を使用する他の例を示す図である。ここでは、オシレータ５００と被試験装置６００の間に本電話回線信号レベル測定変換装置１００を接続することにより、オシレータ５００からの複数レベルの出力信号を被試験装置６００に与えることができる。
【図面の簡単な説明】
【００５２】
【図１】本発明による電話回線信号レベル測定変換装置の全体構成を示すシステム構成図
【図２】本発明による電話回線信号レベル測定変換装置の一使用例を示す図
【図３】本発明による電話回線信号レベル測定変換装置の他の使用例を示す図
【符号の説明】
【００５３】
１      周辺機器制御部
２      周辺機器接続部
３      操作部
４      表示部
５      回線入力部
６      レベル測定部
７      レベル変換部
８      モニタ信号出力部
９      回線出力部
１０    制御部
１００  電話回線信号レベル測定変換装置
２００  開発装置
３００  交換機
４００  開発装置
５００  オシレータ
６００  被試験装置
【図１】
2005311503.tif 000003
【図２】
2005311503.tif 000004
【図３】
2005311503.tif 000005